(57)【要約】【課題】映像信号を再生する装置における特殊再生のインターフェイスはリニア制御のＶＴＲにならっているため、ランダムアクセス可能な記録媒体の制御には、必ずしも必要としない場合もあり、ユーザーの操作性が良いとは言えなかった。【解決手段】早送り、巻戻しといったボタン操作ではなく、リボンコントローラなどの連続的な値が取得可能なコントローラ１１３を使用し、例えば高速再生および高速逆再生の場合には、コントローラ１１３に触れ、所定方向への移動操作に応じて、特殊再生指示部１０７で再生速度および再生方向を決定し、読み出し処理制御部１０５が読み出し処理部１０２を制御して特殊再生機能を実現することができる。本発明によりシンプルなユーザーインタフェースで操作性を向上させた映像再生装置を提供することが可能となる。【選択図】図１
2006157345.tif 000002
【特許請求の範囲】
【請求項１】
記憶媒体から圧縮映像信号を読み出す読み出し処理手段と、指定された読み出し速度により前記読み出し処理手段での読み出し速度を制御する読み出し処理制御手段と、読み出された圧縮映像信号を伸張し再生する映像信号再生処理手段と、連続値が取得可能なコントローラ手段とを備え、
前記読み出し処理制御手段は、前記コントローラ手段により得られた値に基づき特殊再生機能を制御することを特徴とする映像信号再生装置。
【請求項２】
前記読み出し処理制御手段は、前記コントローラ手段の所定方向への操作により得られた値に基づき、高速再生の再生速度を決定する請求項１記載の映像信号再生装置。
【請求項３】
前記読み出し処理制御手段は、前記コントローラ手段の操作方向により高速再生の正逆方向を決定する請求項２記載の映像信号再生装置。
【請求項４】
前記読み出し処理制御手段は、前記コントローラ手段を、一旦所定方向へ操作し、そのまま逆方向へ操作することにより得られた値に基づき、スロー再生の速度を決定する請求項１記載の映像信号再生装置。
【請求項５】
前記読み出し処理制御手段は、前記コントローラ手段の操作方向により、スロー再生の正逆方向を決定する請求項４記載の映像信号再生装置。
【請求項６】
前記読み出し処理制御手段は、特殊再生機能実行中に前記コントローラ手段を触れることで得られた値に基づき、再生速度を変更する請求項２ないし５のいずれかに記載の映像信号再生装置。
【請求項７】
前記読み出し処理制御手段は、再生処理が一時停止中に前記コントローラ手段を所定方向へ操作することにより得られた値に基づき、コマ送り再生を行なう請求項１記載の映像信号再生装置。
【請求項８】
前記読み出し処理制御手段は、前記コントローラ手段の操作方向により、コマ送り再生の正逆方向を決定する請求項７記載の映像信号再生装置。
【請求項９】
前記読み出し処理制御手段は、前記コントローラ手段の操作速度により、コマ送りの速度を決定する請求項７または８に記載の映像信号再生装置。
【請求項１０】
記憶媒体から圧縮映像信号を読み出す読み出し処理手段と、指定された読み出し速度により前記読み出し処理手段からの読み出し速度を制御する読み出し処理制御手段と、読み出された圧縮映像信号を伸張し再生する映像信号再生処理手段と、連続値が取得可能なコントローラ手段とを備え、
前記読み出し処理制御手段は、前記コントローラ手段の操作速度に基づいた値により、特殊再生を制御することを特徴とする映像信号再生装置。
【請求項１１】
前記読み出し処理制御手段は、前記コントローラ手段の所定方向への操作速度により得られた値に基づき、高速再生の再生速度を決定する請求項６記載の映像信号再生装置。
【請求項１２】
前記読み出し処理制御手段は、前記コントローラ手段の操作方向により、高速再生の正逆方向を決定する請求項１１記載の映像信号再生装置。
【請求項１３】
記憶媒体が光ディスクであることを特徴とする請求項１または９に記載の映像信号再生装置。
【請求項１４】
記憶媒体が磁気ディスクであることを特徴とする請求項１または９に記載の映像信号再生装置。
【請求項１５】
記憶媒体が不揮発性半導体メモリであることを特徴とする請求項１または９に記載の映像信号再生装置。
【発明の詳細な説明】
【技術分野】
【０００１】
本発明は、映像信号を圧縮して記録した記録媒体から、映像信号を再生する映像信号再生装置に関するものである。
【背景技術】
【０００２】
近年のデバイス技術の進展により、デジタル化された動画映像信号の記録メディアとしてテープメディアから、ＤＶＤに代表される光ディスクや、ＳＤメモリカードに代表される不揮発性半導体メモリ（フラッシュメモリ等）へ記録を行なう応用機器が普及し始めている。
【０００３】
光ディスクやフラッシュメモリなどの蓄積メディアを再生する装置では、通常再生だけではなく従来のＶＴＲに実装されているような高速再生やスロー再生といった特殊再生機能が実現されている（例えば、特許文献１参照）。
【０００４】
また、テープメディアとは異なり光ディスクやフラッシュメモリなどの蓄積メディアでは、高速アクセスおよびランダムアクセスが可能であるため、テープメディアでは実現が不可能であった速度の高速再生／逆再生といった特殊再生機能を実現することもできる。
【特許文献１】特開２００３−０８７７３１号公報
【発明の開示】
【発明が解決しようとする課題】
【０００５】
光ディスクやフラッシュメモリなどの蓄積メディアを再生する装置において、高速再生やスロー再生を行なうためには、ＶＴＲの操作インターフェイスにならっているため、高速再生を例にあげると、再生ボタンを押し再生を開始し、何段階かに設定された再生速度を早送りボタンを複数回押すことで所望の速度を選択することができる。しかしながら、何段階かに設定された再生速度が５段階であるとすると最高速な速度を選択するためには５回早送りボタンを押す、もしくは所望の速度になるまで押しつづけるといった煩雑な操作が必要であった。また、所望の再生位置が近づいてきたので、再生速度を何段階か落とそうとする時には、再度早送りボタンを操作するか、巻戻しボタンを操作することで所望の速度に設定するといった煩雑な操作を行なう必要があった。
【０００６】
本発明は、上記課題を解決し、操作性を向上させた映像信号再生装置を提供することを目的とする。
【課題を解決するための手段】
【０００７】
上記課題を解決するために本発明の映像信号再生装置は、記憶媒体から圧縮映像信号を読み出す読み出し処理手段と、指定された読み出し速度により読み出し処理手段での読み出し速度を制御する読み出し処理制御手段と、読み出された圧縮映像信号を伸張し再生する映像信号再生処理手段と、連続値が取得可能なコントローラ手段とを備え、読み出し処理制御手段は、コントローラ手段により得られた値に基づき特殊再生機能を制御するものである。これにより、早送り、巻戻しといったボタン操作ではなく、リボンコントローラなどの連続的な値が取得可能なコントローラ手段を使用し、例えば高速再生および高速逆再生の場合には、コントローラに触れ、所定方向への移動操作に応じて再生速度および再生方向を決定するなどの機能を実現することができる。そして、操作性を向上させたユーザーフレンドリーな装置とすることができる。
【発明の効果】
【０００８】
本発明により、ユーザーは高速再生やスロー再生といった特殊再生を煩雑な操作なしで操作することができるようになり、ユーザーの利便性が向上する。また、特殊再生専用の操作ボタンを省略できるため、操作部の設計の自由度が高くなる。
【発明を実施するための最良の形態】
【０００９】
本発明は、デジタルビデオカメラなどの電子機器本体の操作面にコントローラ手段を設ける、もしくは映像記録再生装置などのリモコン装置の操作面にコントローラ手段を設けることで、実現されるものである。本発明におけるコントローラ手段は、その操作に対応した出力が連続値として出力されるものである。
【００１０】
（実施の形態）
以下、本発明の実施の形態による映像信号再生装置について、図面を参照しながら詳細に説明する。
【００１１】
図１は、本発明の実施の形態による映像信号再生装置の構成を示すブロック図である。
【００１２】
図１において、１０１は光ディスク、磁気ディスク、半導体メモリカードなどの記録媒体であり、少なくとも圧縮された映像信号が記録されている。１０２は記録媒体１０１から圧縮映像信号を再生する読み出し処理部、１０３は再生された圧縮映像信号に伸張処理を施す映像信号再生処理部、１０４は映像信号再生処理部からの映像信号を表示する表示器である。また、１０９は操作パネルであり、再生ボタン１１０、停止ボタン１１１及び一時停止ボタン１１２を備える。１０６は操作パネル１０９からの操作が入力される通常再生指示部、１０５は通常再生指示部１０６からの通知が出力される読み出し処理制御部、１１３は連続値が取得可能なコントローラ、１０８はコントローラ１１３の操作を検出するコントローラ操作検出部、１０７はコントローラからの値を読み出し処理制御部に通知する特殊再生指示部である。
【００１３】
以上のように構成された本実施の形態の映像信号再生装置における通常再生時の処理について、以下に説明する。
【００１４】
映像信号再生処理が停止中に、ユーザーが操作パネル１０９上の再生ボタン１１０を押下すると、通常再生指示部１０６に対し、再生ボタン１１０が押下されたことが通知される。通常再生指示部１０６は、再生ボタン１１０が押下されたという通知を受け取ると、読み出し処理制御部１０５に対して、等倍速（１倍速）での再生を開始するように指示を行なう。読み出し処理制御部１０５は、等倍速での再生開始を指示されると、等倍速再生を行なうために必要な所定の時間間隔にて、読み出し処理部１０２に対して、記憶媒体１０１から圧縮された映像信号を読み出す処理の制御を行なう。読み出し処理部１０２にて、記憶媒体１０１から読み出された圧縮された映像信号は、映像信号再生処理部１０３に渡される。映像信号処理部１０３では、圧縮された映像信号のデコード処理を行い、ＴＶ画面や筐体に設置された液晶表示装置（ＬＣＤ）などの表示器１０４に映像の出力または表示を行なう。
【００１５】
映像信号再生中に、ユーザーが操作パネル１０９上の停止ボタン１１１を押下すると、通常再生指示部１０６に対し、停止ボタン１１１が押下されたことが通知される。通常再生指示部１０６は、停止ボタン１１１が押下されたという通知を受け取ると、読み出し処理制御部１０５に対して、再生処理を停止するよう指示を行なう。読み出し処理制御部１０５は、再生停止を指示されると、読み出し処理部１０２に対して読み出し処理の停止を行なう。読み出し処理部１０２の読み出し処理が停止したことに伴い、映像信号処理部１０３のデコード処理も停止し、再生処理が終了し、映像信号再生処理は停止状態となる。
【００１６】
また、映像信号再生中に、ユーザーが操作パネル１０９上の一時停止ボタン１１２を押下すると、通常再生指示部１０６に対して、一時停止ボタン１１２が押下されたことが通知される。通常再生指示部１０６は、一時停止ボタン１１２が押下されたという通知を受け取ると、読み出し処理制御部１０５に対して、再生処理を一時停止するように指示を行なう。読み出し処理制御部１０５は、再生処理一時停止を指示されると、読み出し処理部１０２に対して読み出し処理の一時停止を行なう。読み出し処理部１０２の読み出し処理が一時停止したことに伴い、映像信号処理部１０３のデコード処理も一時停止し、表示器１０４に表示されている映像は停止し、映像信号再生処理は一時停止状態となる。この状態でユーザーが操作パネル１０９上の再生ボタン１１０もしくは一時停止ボタン１１２を押下すると、一時停止が解除されて一時停止した位置から映像信号の再生が再開される。
【００１７】
図２は、本発明の実施の形態による映像信号再生装置の操作パネル１０９及びコントローラ１１３を表したものである。以下、本実施の形態において、順方向操作とはコントローラ１１３に指で触れた状態で右方向へ移動し、その後にコントローラ１１３から指を離す操作であり、逆方向操作とは順方向操作とは逆の左方向への操作であるとする。
【００１８】
図３は、本発明の実施の形態による映像信号再生装置の高速再生処理のフローチャートである。以下に、映像信号再生装置の高速再生処理について説明を行なう。
【００１９】
図４は、高速再生時のコントローラ操作を表したものである。同図の下側のグラフは、コントローラ操作に基づく値（コントローラ値）を示したものであり、縦軸が時刻、横軸がコントローラ値を示し、以下の図面においても同様である。
【００２０】
映像信号再生中に、コントローラ１１３が図４のように指などで左側から右側へ操作されると、コントローラ操作検出部１０８は、コントローラ値を検出し、特殊再生指示部１０７に値を通知する。その通知された値を元に特殊再生指示部１０７では、再生モードが高速モードで、再生方向が順方向であると判断し、さらに再生速度（図４の例の場合、３０倍速（×３０））を求め、読み出し処理制御部１０５に対して指示を行なう。以下に、特殊再生指示部１０７での処理を図３より説明を行なう。
【００２１】
映像信号再生中である、図４の時刻ｔ０において、ユーザーの指がコントローラのｖ０の位置に触れると、ステップ３０２から分岐したステップ３０３でコントローラ値を判断し、得られるコントローラ値が０ではないので、図３のステップ３０３からステップ３０４へ分岐する。ステップ３０４では、この時のコントローラ値を記憶し、ステップ３０５の処理に進む。ステップ３０５の処理では、この時点でのコントローラ値の変化符号には変化がないため、ステップ３０６の処理に進む。ステップ３０６では、この時点では変化符号なしと記憶を行い、ステップ３０８にて所定時間Δｔ（Δｔは、図４のｔ１−ｔ０に比べて十分小さい時間間隔）の時間待ちを行なう。所定時間Δｔ経過後にステップ３０９に進み、再度コントローラ値が０でない場合、ステップ３０４に進みコントローラ値を記憶する。続いて、ステップ３０５に進む。図４の時刻ｔ０から所定時間Δｔ経過後の時点では、初めて変化符号が設定されるので、ステップ３０６に進み、コントローラ値の変化符号として正を記憶する。その後、図４の時刻ｔ１までステップ３０９、３０４、３０５、３０６、３０８を繰り返す。
【００２２】
図４の時刻ｔ１でユーザーの指がコントローラのｖ１の位置にて離れると、ステップ３０９でのコントローラ値が０となるので、ステップ３１０に進む。ステップ３１０では、この場合再生モードはスローモードに設定されていないので、ステップ３１２に進み再生モードを高速モードに設定し、ステップ３１３に進む。ステップ３１３では、コントローラの変化符号は正となっているので、ステップ３１６に進む。ステップ３１６では、再生方向を順方向に設定し、ステップ３１７に進む。ステップ３１７では、ステップ３０４にてユーザーの指が離れた時点のコントローラ値ｖ１が記憶されているので、それをもとに予め設定しておいたテーブルなどにより再生速度（図４の例では３０倍速）を決定する。以上が、図４の場合での特殊再生指示部１０７の処理である。
【００２３】
特殊再生指示部１０７にて得られた再生モード、再生方向、再生速度が読み出し処理制御部１０５に渡され、図４の場合では順方向への３０倍速再生に必要な読み出し処理部１０２の制御を行なう。読み出し処理部１０２にて、記憶媒体１０１から読み出された映像信号が映像信号再生処理部１０３に渡され、高速再生映像が表示器１０４に表示される。
【００２４】
また、図４の場合のコントローラ操作位置ｖ０，ｖ１と時刻ｔ０，ｔ１から求められる操作速度から高速再生の時間間隔を設定してもよい。
【００２５】
図５は、高速逆再生時のコントローラ操作を表したものである。
【００２６】
図５の場合では、操作方向が右側から左側に操作されるので、図４の場合と異なり、ステップ３０６にてコントローラ値の変化符号が負と記憶され、ステップ３１３（Ｎｏ）、３１４（Ｙｅｓ）、３１５（逆方向に設定）、３１７（再生速度の設定）と進み、再生モードが高速モードで、再生方向が逆方向であると判断し、さらに再生速度（図５の場合だと３０倍速）を求める処理が特殊再生指示部１０７にて行われる。
【００２７】
次に、映像信号再生装置におけるスロー再生処理について説明を行なう。
【００２８】
図６は、スロー再生時のコントローラ操作を表したものである。
【００２９】
映像信号再生中（ステップ３０２でＹｅｓ）に、コントローラ１１３が図６のように、少し右方向に動かしてから左方向に操作されると、コントローラ操作検出部１０８は、コントローラ値を検出し、特殊再生指示部１０７に値を通知する。その通知された値を元に特殊再生指示部１０７では、再生モードがスローモードで、再生方向が順方向であると判断し、さらに再生速度（図６の場合、１／３０倍速）を求め、読み出し処理制御部１０５に対して指示を行なう。以下に、特殊再生指示部１０７での処理を図３より説明を行なう。
【００３０】
映像信号再生中（ステップ３０２でＹｅｓ）である、図６の時刻ｔ０において、ユーザーの指がコントローラのｖ０の位置に触れると、コントローラ値が０ではないので、図３のステップ３０３からステップ３０４へ分岐する。ステップ３０４では、この時のコントローラ値を記憶し、ステップ３０５の処理に進む。ステップ３０５の処理では、この時点でのコントローラ値の変化符号には変化がないため、ステップ３０６の処理に進む。ステップ３０６では、この時点では変化符号なしと記憶を行い、ステップ３０８にて所定時間Δｔ（Δｔは、図６のｔ１−ｔ０に比べて十分小さい時間間隔）待つ。所定時間Δｔ経過後にステップ３０９に進み、再度コントローラ値が０でない場合、ステップ３０４に進みコントローラ値を記憶する。続いて、ステップ３０５に進む。図６の時刻ｔ０から所定時間Δｔ経過後の時点では、初めて変化符号が設定されるので、ステップ３０６に進み、コントローラ値の変化符号として正を記憶する。その後、図６の時刻ｔ１までステップ３０９、３０４、３０５、３０６、３０８を繰り返す。
【００３１】
図６の時刻ｔ１から所定時間Δｔ経過後のステップ３０４にて記憶し、ステップ３０５に進む。ステップ３０５では、コントローラ値の変化符号が正から負に変わったため、ステップ３０７に進み再生モードをスローモードに設定し、ステップ３０６にて、コントローラ値の変化符号として負を記憶する。その後、図６の時刻ｔ２までステップ３０９、３０４、３０５、３０６、３０８を繰り返す。
【００３２】
図６の時刻ｔ２でユーザーの指がコントローラのｖ１の位置にて離れると、ステップ３０９でのコントローラ値が０となるので、ステップ３１０に進む。ステップ３１０では、この場合再生モードはスローモードに設定されているので、ステップ３１１に進む。ステップ３１１では、コントローラの変化符号は負となっているので、ステップ３１６に進む。ステップ３１６では、再生方向を順方向に設定し、ステップ３１７に進む。ステップ３１７では、ステップ３０４にてユーザーの指が離れた時点のコントローラ値ｖ１が記憶されているので、それをもとに予め設定しておいたテーブルなどにより再生速度（図６の例では１／３０倍速）を決定する。以上が、図６の場合での特殊再生指示部１０７の処理である。
【００３３】
特殊再生指示部１０７にて得られた再生モード、再生方向、再生速度の情報が読み出し処理制御部１０５に渡され、図６の場合では順方向への１／３０倍速再生に必要な読み出し処理部１０２の制御を行なう。読み出し処理部１０２にて、記憶媒体１０１から読み出された映像信号が映像信号再生処理部１０３に渡され、スロー再生映像が表示器１０４に表示される。
【００３４】
図７は、スロー逆再生時のコントローラ操作を表したものである。
【００３５】
図７の場合では、図６の場合と異なり反対方向の操作となるので、ステップ３０６にてコントローラ値の変化符号が正と記憶され、その後ステップ３１０からステップ３１１、３１５、３１７と進み、再生モードがスローモードで、再生方向が逆方向であると判断し、さらに再生速度（図７の場合だと１／３０倍速）を求める処理が特殊再生指示部１０７にて行われる。
【００３６】
なお、映像信号が高速再生／スロー再生中に、ユーザーがコントローラ１１３に触れると、現在再生中の再生モードおよび再生方向は変更せず、再生速度を予め設定しておいたテーブルなどを元に変更を行なうようにしてもよい。
【００３７】
次に、コマ送り再生処理について説明する。図８は、本発明の実施の形態による映像信号再生装置のコマ送り再生処理のフローチャートである。
【００３８】
図９は、コマ送り再生時のコントローラ操作を表したものである。
【００３９】
映像信号一時停止中（図８のステップ８０２でＹｅｓ）に、コントローラ１１３が図９のように左側から右側に指で触れて操作されると、コントローラ操作検出部１０８は、コントローラ値を検出し、特殊再生指示部１０７に値を通知する。その通知された値を元に特殊再生指示部１０７では、再生モードがコマ送りモードで、再生方向が順方向であると判断し、読み出し処理制御部１０５に対して指示を行なう。以下に、特殊再生指示部１０７での処理を図８より説明を行なう。
【００４０】
映像信号一時停止中（ステップ８０２でＹｅｓ）に、図９の時刻ｔ０において、ユーザーの指がコントローラｖ０の位置に触れると、コントローラ値が０ではないので、図８のステップ８０３からステップ８０４へ処理が進む。ステップ８０４では、この時のコントローラの値を記憶し、ステップ８０５に進む。ステップ８０５の処理では、この時点では変化符号なしと記憶を行い、ステップ８０６に進む。ステップ８０６にて所定時間Δｔ（Δｔは、図９のｔ１−ｔ０に比べて十分小さい時間間隔）待つ。所定時間Δｔ経過後にステップ８０７に進み、再度コントローラ値が０でない場合、ステップ８０４に進みコントローラ値を記憶する。続いて、ステップ８０５に進む。図９の時刻ｔ０から所定時間Δｔ経過後の時点では、初めて変化符号が設定されるので、コントローラ値の変化符号として正を記憶する。その後、図９の時刻ｔ１までステップ８０７、８０４、８０５、８０６を繰り返す。
【００４１】
図９の時刻ｔ１でユーザーの指がコントローラのｖ１の位置にて離れると、ステップ８０７でのコントローラ値が０となるので、ステップ８０８に進む。ステップ８０８では、コントローラの変化符号は正となっているので、ステップ８１０に進む。ステップ８１０では、再生方向を順方向に設定し、ステップ８１２に進む。ステップ８１２では、再生モードをコマ送りモードに設定し、ステップ８１３に進み処理が終了する。以上が、図９の場合での特殊再生指示部１０７のコマ送り決定処理である。
【００４２】
特殊再生指示部１０７にて得られた再生モード、再生方向が読み出し処理制御部１０５に渡され、図９の場合では順方向へのコマ送り再生に必要な読み出し処理部１０２の制御を行なう。読み出し処理部１０２にて、記憶媒体１０１から読み出された映像信号が映像信号再生処理部１０３に渡され、コマ送り再生映像が表示器１０４に表示される。
【００４３】
また、図９の場合のコントローラ操作位置ｖ０，ｖ１を元に、もしくは、コントローラ操作位置ｖ０，ｖ１と時刻ｔ０，ｔ１から求められる操作速度からコマ送り再生の時間間隔を設定してもよい。
【００４４】
図１０は、コマ送り逆再生時のコントローラ操作を表したものである。
【００４５】
図１０の場合では、図９の場合と異なり右側から左側の方向に操作されるので、ステップ８０５にて、コントローラ値の変化符号が負と記憶され、ステップ８０８（Ｎｏ）、８０９（Ｙｅｓ）、８１１（逆方向に設定）、８１２（コマ送りモードに設定）と進み、再生モードをコマ送りモード、再生方向を逆方向に設定する処理が、特殊再生指示部１０７にて行なわれる。
【００４６】
以上のように本実施の形態によれば、コントローラ１１３の操作により、正逆の高速再生、スロー再生、コマ送り再生を実現することができる。
【００４７】
なお、図３のステップ３１４、図８のステップ８０９でＮｏの判定となるのは、コントローラに一瞬触った場合で、変化符号が設定されない場合である。
【００４８】
また、本実施の形態におけるコントローラは、リボンコントローラのような連続値を取得可能なものであれば、いかなるものであってもよく、例えば圧電素子によるものやメカニカルなものなど、特に限定されるものではなく、操作も直接指で行なうものでも、ペンなどを用いて行なうものでもよい。
【産業上の利用可能性】
【００４９】
本発明の映像信号再生装置は、筐体にコントローラを設置した場合だけでなく、リモコン装置などにコントローラを設置された装置などにも適用できる。
【図面の簡単な説明】
【００５０】
【図１】本発明の実施の形態による映像信号再生装置の構成を示すブロック図
【図２】同映像信号再生装置の操作パネルの一例を示す図
【図３】同映像信号再生装置における高速再生／スロー再生の方向／速度決定アルゴリズムを示すフローチャート
【図４】同映像信号再生装置の高速再生時のコントローラ操作を示す概念図
【図５】同映像信号再生装置の高速逆再生時のコントローラ操作を示す概念図
【図６】同映像信号再生装置のスロー再生時のコントローラ操作を示す概念図
【図７】同映像信号再生装置のスロー逆再生時のコントローラ操作を示す概念図
【図８】同映像信号再生装置におけるコマ送り再生の方向決定アルゴリズムを示すフローチャート
【図９】同映像信号再生装置のコマ送り再生時のコントローラ操作を示す概念図
【図１０】同映像信号再生装置のコマ送り逆再生時のコントローラ操作を示す概念図
【符号の説明】
【００５１】
１０１    記憶媒体
１０２    読み出し処理部
１０３    映像信号再生処理部
１０４    表示器
１０５    読み出し処理制御部
１０６    通常再生指示部
１０７    特殊再生指示部
１０８    コントローラ操作検出部
１０９    操作パネル
１１０    再生ボタン
１１１    停止ボタン
１１２    一時停止ボタン
１１３    コントローラ
【図１】
2006157345.tif 000003
【図２】
2006157345.tif 000004
【図３】
2006157345.tif 000005
【図４】
2006157345.tif 000006
【図５】
2006157345.tif 000007
【図６】
2006157345.tif 000008
【図７】
2006157345.tif 000009
【図８】
2006157345.tif 000010
【図９】
2006157345.tif 000011
【図１０】
2006157345.tif 000012